Podtech/llm-jp-corpus-v4-ja_patent huggingface dataset:
(57)【要約】【課題】  薄型・小型の表示パネルのガラス基板の欠けや割れ、ドライバＩＣの欠けやわれを防止する。【解決手段】  表示パネルを構成するガラス基板にＩＣがＣＯＧ実装された表示装置において、ＩＣの実装面とは反対の面に、ＩＣとほぼ同一の大きさの補強材を設けた。これにより、使用環境による外部破壊応力に耐えられる構造とした。 【選択図】  図１
2007219326.tif 000002
【特許請求の範囲】
【請求項１】
表示パネルを構成するガラス基板にＩＣがＣＯＧ実装された表示装置において、前記ＩＣの実装面とは反対の面に、前記ＩＣとほぼ同一の大きさの補強材が設けられたことを特徴とする表示装置。
【請求項２】
表示パネルを構成するガラス基板にＩＣがＣＯＧ実装された表示装置において、前記ガラス基板の実装部の裏面に、前記ＩＣとほぼ同一の大きさの補強材が設けられたことを特徴とする表示装置。
【請求項３】
表示パネルを構成するガラス基板にＩＣがＣＯＧ実装された表示装置において、前記ガラス基板上の前記ＩＣの外周の少なくとも一辺に、補強材が設けられたことを特徴とする表示装置。
【発明の詳細な説明】
【技術分野】
【０００１】
本発明は、例えば携帯電話等に用いられる表示装置に関する。
【背景技術】
【０００２】
従来の装置では、表示装置のガラス基板は厚く又、ドライバＩＣも厚いので液示装置を収納するケースに衝撃吸収材等を貼り付ける構想が知られている。
【発明の開示】
【発明が解決しようとする課題】
【０００３】
本発明が解決しようとする問題点は、薄型化・小型化により使用環境の外部応力、例えば落下などによる液晶表示パネルへの衝撃に対して表示パネルのガラス基板やドライバＩＣに欠けが生じる。すなわち表示パネルの収納ケースに衝撃吸収材を張るだけでは、表示パネルのガラス基板や、ドライバＩＣの欠けや割れを防ぐことが出来なくなってきた。
【課題を解決するための手段】
【０００４】
薄型・小型化により使用環境の外部応力から割れ、欠けやすくなってきているドライバＩＣ、ガラス基板をガラス基板の空きスペースやドライバＩＣに補強材を貼り付け又は接着することにより強度を増し或いは、ソリを抑えることが可能になる。
【発明の効果】
【０００５】
本発明の表示装置によれば、使用環境の外部応力、例えば落下による衝撃から表示パネルに搭載されたドライバＩＣやガラス基板の割れ欠けを保護でき、表示不良等をなくし信頼性の高い表示装置を供給できる。
【発明を実施するための最良の形態】
【０００６】
本発明の表示装置は、表示パネルを構成するガラス基板にＩＣがＣＯＧ実装された表示装置であって、ＩＣの実装面とは反対の面に、ＩＣとほぼ同一の大きさの補強材が設けられている。あるいは、表示パネルを構成するガラス基板にＩＣがＣＯＧ実装された表示装置であって、ガラス基板の実装部の裏面に、ＩＣとほぼ同一の大きさの補強材が設けられている。あるいは、表示パネルを構成するガラス基板にＩＣがＣＯＧ実装された表示装置であって、ＩＣの少なくとも一辺の外周部のガラス基板上に、補強材が設けられている。補強材にはセラミック板や強化ガラス基板が用いられる。セラミックコーティングやガラスコーティングでもよい。
【実施例１】
【０００７】
本実施例の液晶表示装置の構造を図１に模式的に示す。液晶表示装置の液晶表示パネルの二枚のガラス基板、第一ガラス基板１と第二ガラス基板２の間に液晶を封止した液晶表示パネルのガラス基板に、ＣＯＧ実装したドライバＩＣ３に大きさがほぼ同一のセラミック製・強化ガラス製等の補強材４を貼り付け又は接着し使用環境による外部破壊応力に耐えられる構造とする。これにより、使用環境による外部破壊応力にガラス基板に搭載されたドライバＩＣ３が耐えられる。
【実施例２】
【０００８】
本実施例の液晶表示装置の構造を図２に模式的に示す。液晶表示装置の液晶表示パネルの二枚のガラス基板の間に液晶を封止した液晶表示パネルのＣＯＧ実装された第一ガラス基板１或いは、第二ガラス基板２の裏面にＣＯＧ実装したドライバＩＣ３のほぼ同一の位置にほぼ同一の大きさのセラミック製・強化ガラス製等の補強材４を貼り付け又は接着し使用環境による外部破壊応力に耐えられる構造とする。これにより、使用環境による外部破壊応力に液晶表示パネルの第一ガラス基板や、第二ガラス基板２が耐えられる。
【実施例３】
【０００９】
本実施例の液晶表示装置の構造を図３に模式的に示す。液晶表示装置の液晶表示パネルの2枚のガラス基板の間に液晶を封止した液晶表示パネルのＣＯＧ実装された第一ガラス基板１或いは、第二ガラス基板２の裏面にＣＯＧ実装したドライバＩＣ３のほぼ同一の位置にほぼＩＣ搭載面と同一の大きさのセラミック製・強化ガラス製等の補強材４を貼り付け又は接着し使用環境による外部破壊応力に耐えられる構造とする。 
【実施例４】
【００１０】
本実施例の液晶表示装置の構造を図４に模式的に示す。液晶表示装置の液晶表示パネルの二枚のガラス基板の間に液晶を封止した液晶表示パネルのＣＯＧ実装された第一ガラス基板１或いは、第二ガラス基板２のＣＯＧ実装したドライバＩＣ３と同一面の空きスペースに、ＩＣの長手方向の長さとの同一の大きさのセラミック製・強化ガラス製等の補強材４を貼り付け又は接着し使用環境による外部破壊応力に耐えられる構造とする。ガラス基板とほぼ同一の長さのセラミック製・強化ガラス製等の補強材４を貼り付け又は接着してもよい。
【産業上の利用可能性】
【００１１】
携帯電話に搭載されている液晶表示パネルの様な液晶表示装置の落下等から、ガラス基板やドライバＩＣを保護でき表示品質が安定する。
【図面の簡単な説明】
【００１２】
【図１】液晶表示装置の構成を模式的に示す断面図である。
【図２】液晶表示装置の構成を模式的に示す断面図である。
【図３】液晶表示装置の構成を模式的に示す断面図である。
【図４】液晶表示装置の構成を模式的に示す断面図である。
【符号の説明】
【００１３】
１  第一ガラス基板
２  第二ガラス基板
３  ドライバＩＣ
４  補強材
【図１】
2007219326.tif 000003
【図２】
2007219326.tif 000004
【図３】
2007219326.tif 000005
【図４】
2007219326.tif 000006
(57)【要約】【課題】  装置の大型化、複雑化を招くことなく、簡単な構成で記録紙を冷却可能な用紙冷却装置を提供する。【解決手段】  トナー像を転写した記録紙をヒートロールにより加熱定着する定着手段と、ヒートロールにオイルを供給するオイルポンプを備えた電子写真式印刷装置において、前記ヒートロールにより記録紙に塗布したオイルの周辺気圧を減圧する吸引部を有し、該吸引部は、複数の吸気穴を設けた熱伝導部材と、前記吸気穴周辺の気圧を減圧してオイルを気化させる吸引ポンプからなる事を特徴とする。【選択図】  図１
2007219245.tif 000002
【特許請求の範囲】
【請求項１】
トナー像を転写した記録紙をヒートロールにより加熱定着する定着手段と、ヒートロールにオイルを供給するオイルポンプを備えた電子写真式印刷装置において、前記ヒートロールにより記録紙に塗布したオイルの周辺気圧を減圧する吸引部を有する事を特徴とする電子写真式印刷装置。
【請求項２】
前記吸引部は、複数の吸気穴を設けた熱伝導部材と、前記吸気穴周辺の気圧を減圧してオイルを気化させる吸引ポンプからなる事を特徴とする、請求項１記載の電子写真式印刷装置。
【発明の詳細な説明】
【技術分野】
【０００１】
本発明は、電子写真式印刷装置に関するものである。
【背景技術】
【０００２】
電子写真式印刷装置では、トナー像が転写された記録紙を定着部において、加熱・加圧することによりトナー像を定着させる。近年、印刷スピードの高速化に伴う発熱量が増大により、定着後の記録紙を十分に冷却する事は困難である。
【０００３】
その結果、電子写真式印刷装置２台によるタンデム印刷を行う場合、１台目によって加熱された記録紙が、高温のまま２台目に給紙されることにより、現像機内部のトナー温度が上昇し、トナーが感光ドラムに融着する危険性がある。
【０００４】
また、電子写真式印刷装置１台での印刷についても、定着後の記録紙を後処理機にて折畳む場合において、十分にトナーが冷却されない状態で折畳まれる事により、固化していないトナーが接着剤となって用紙と用紙が接着されるブロッキング現象が発生する。
【０００５】
このような不具合を防ぐ為にも、トナー定着後速やかに記録紙を冷却する必要がある。用紙冷却装置として、熱伝導体を用いた例（特許文献１）、空冷を用いた例（特許文献２）がある。しかし、両例共に装置の大型化、複雑化を解決していない。
【０００６】
【特許文献１】特開平１０−２０７１５５号公報
【０００７】
【特許文献２】特開２００３−２２３０９２号公報
【発明の開示】
【発明が解決しようとする課題】
【０００８】
本発明の目的は、上記した従来技術の問題点を解消し、装置の大型化、複雑化を招くことなく、簡単な構成で記録紙を冷却可能な電子写真式印刷装置を提供する事にある。
【課題を解決するための手段】
【０００９】
本発明は、トナー像を転写した記録紙をヒートロールにより加熱定着する定着手段と、ヒートロールにオイルを供給するオイルポンプを備えた電子写真式印刷装置において、前記ヒートロールにより記録紙に塗布したオイルの周辺気圧を減圧する吸引部を有する事を特徴とする。
【００１０】
また、本発明は、前記吸引部は複数の吸気穴を設けた熱伝導部材と、前記吸気穴周辺の気圧を減圧してオイルを気化させる吸引ポンプからなる事を特徴とする。
【発明の効果】
【００１１】
本発明によれば、記録紙に塗布したオイルを気化させ、気化熱を奪う事によりにより記録紙を冷却することで装置の大型化、複雑化を招くこと無く、簡単な構成で記録紙の冷却が可能である。
【発明を実施するための最良の形態】
【００１２】
以下に、本発明の実施例を図面に基づいて説明する。
【００１３】
本発明の実施形態を図１、２により説明する。図１は本発明の一実施形態に基く電子写真式印刷装置の構成を示す図である。図２は本発明の一実施形態に基く電子写真式印刷装置の吸引部熱伝導部材の構成を示す図である。
【００１４】
ヒートロール１には、オイル供給用のオイルポンプ２が取付けられている。３は吸引部で、ヒートロール１の後に配置されている。吸引部３は熱伝導部材３ａと吸引ポンプ３ｃからなり、熱伝導部材３ａに複数設けられた吸気穴３ｂを通して吸引ポンプ３ｃにより記録紙４の吸引が可能である。
【００１５】
上記構成によれば、トナー像を転写した記録紙４はヒートロール１により加熱定着されると共にオイルを表面に塗布される。次にオイルを塗布された記録紙４は吸引部３により吸引される。この際、吸気穴３ｂ周辺の気圧が下がり、オイルが気化する。これにより記録紙４から気化熱が奪われる事により効率良く冷却を行う事が出来る。
【００１６】
また、熱伝導部材３ａにアルミ等を使う事により、吸気穴３ｂ周辺のみでなく、記録紙全幅の冷却が可能である。
【図面の簡単な説明】
【００１７】
【図１】本発明の一実施形態に基く電子写真式印刷装置の構成図である。
【図２】本発明の一実施形態に基く電子写真式印刷装置の吸引部の構成図である。
【符号の説明】
【００１８】
１はヒートロール、２はオイルポンプ、３は吸引部、３ａは熱伝導部材、３ｂは吸気穴、３ｃは吸引ポンプ、４は記録用紙である。
【図１】
2007219245.tif 000003
【図２】
2007219245.tif 000004
(57)【要約】      （修正有）【課題】たし算，引き算，分数の割算の意味がわかり、計算できるようにすること。【解決手段】具体物（タイル）を作って数の分解（５の数と１０の数との仲間分け）を行い、その後数字を使って分解の練習をする。分数の計算の方法を自分で考え出し計算する。【選択図】なし【特許請求の範囲】
【請求項１】
たし算  引き算
【請求項２】
分数の割算
【発明の詳細な説明】
【技術分野】
【０００１】本発明は簡略化できるようにするためのたし算、引き算、分数の割算に関する論理的方法。
【背景技術】
【０００２】
【特許文献１】  従来の計算の仕方には、たし算、引き算、分数の割算を配置してあるものがある。（非特許文献１）
【非特許文献１】  小学１年全国標準テスト  さんすうＰ２９〜Ｐ３６  Ｐ３７〜Ｐ４４  受験研究社
【発明の開示】
たし算、引き算、分数の割算の簡略化
【発明が解決するため手段】
たし算、引き算、分数の計算
【発明の効果】
５のかたまり、１０のかたまりを自由自在に作ることができるようになる。
分数の割算の意味がわかり計算ができるようになる。
【発明を実施するための最良の形態】まず具体物（タイル）を作って数の分解（５の数と１０の数との仲間分け）その後、数字を使って分解の練習をする。分数の計算の方法を自分で考え出し計算する。
【実施例】  Ｐ１〜Ｐ１５
【産業上の利用可能性】  自由自在な基礎計算力が付き対外的に学力アップの宣伝ができる。
(57)【要約】【課題】  ハーモニカを演奏するときハーモニカと唇のすべりが悪いと、唇を横に動かした場合、唇が引きつった形になり、痛みを感じるとともに早い演奏ができなくなることを解消するために、ハーモニカと唇のすベりをより滑らかにし、演奏時の唇への負担を軽減するとともに、速い演奏ができるハーモニカを提供する。【解決手段】  ハーモニカ本体１に、唇とともに滑らかに動くプレート２を取り付けることにより、演奏時の唇への負担を軽減するとともに、速い演奏ができるようにする。【選択図】図１
2007219457.tif 000002
【特許請求の範囲】
【請求項１】
ハーモニカに唇とともに滑らかに動くプレートを設けていることを特徴とするハーモニカ。
【発明の詳細な説明】
【技術分野】
【０００１】  本発明は、ハーモニカを演奏するときハーモニカと唇のすべりが悪いと、唇を横に動かした場合、唇が引きつった形になり、痛みを感じるとともに、速い演奏ができなくなることを解消するために、ハーモニカに、唇とともに滑らかに動くプレートを取り付けることにより、演奏時の唇への負担を軽減するとともに、速い演奏ができるようにしたものである。
【背景技術】
【０００２】  従来は、唇とともに滑らかに動くプレートを取り付けたハーモニカはなかった。
【発明の開示】
【発明が解決しようとする課題】
【０００３】  ハーモニカを演奏するときハーモニカと唇のすべりが悪いと、唇を横に動かした場合、唇が引きつった形になり、痛みを感じるとともに、速い演奏ができなくなるという難点があったが、本発明は、この課題を解消するためになされたものである。
【課題を解決するための手段】
【０００４】  ハーモニカに、唇とともに滑らかに動くプレートを取り付けることにより、演奏時の唇への負担を軽減するとともに、速い演奏ができるようにした。
【発明の効果】
【０００５】  ハーモニカを演奏するとき、唇が乾燥していても滑らかに演奏することができるため、唇への負担を軽減することができ、また速い演奏ができる。
【発明の実施するための最良の形態】
【０００６】  以下、本発明の実施の形態を図１〜図４に基づいて説明する。
【０００７】  ハーモニカの両側面に、左右に滑らかに動くプレート２を取り付け、両側面のプレート２が同時に動くように、ブリッジ５で連結する。
【０００８】  なお、プレート２が本体からはずれないようにする必要があるが、その実施形態として以下の実施形態がある。
【実施例１】
【０００９】  図２のように、ハーモニカ本体カバーに設けた溝構造のレール３とブリッジ５で、プレート２をハーモニカからはずれないようにする。
【実施例２】
【００１０】  図３のように、ハーモニカ本体にマイクロリニア軸受６のレールを固定し、マイクロリニア軸受６の可動部にプレート２を固定することによりハーモニカからはずれないようにする。
【実施例３】
【００１１】  図４のように、ハーモニカ本体カバーにマイクロリニア軸受６のレールを固定し、マイクロリニア軸受６の可動部にプレート２を固定することによりハーモニカからはずれないようにする。
【図面の簡単な説明】
【００１２】
【図１】  本発明の外観図
【図２】  本発明の実施例１の断面図
【図３】  本発明の実施例２の断面図
【図４】  本発明の実施例３の断面図
【符号の説明】
【００１３】      １  ハーモニカ本体
２  プレート
３  レール
４  ハーモニカ本体カバー
５  ブリッジ
６  マイクロリニア軸受
【図１】
2007219457.tif 000003
【図２】
2007219457.tif 000004
【図３】
2007219457.tif 000005
【図４】
2007219457.tif 000006
(57)【要約】【課題】  前身頃股中央より後見頃腰臀部にかけて脱着可能にした留め布を有するペット用衣類を提供する。【解決手段】  前見頃と後身頃からなるペット用衣類本体と、当該前見頃股中央に連接し、かつ当該後身頃腰臀部に脱着可能であって、ペットの股部を覆うことができるよう尻尾通し穴を有した股カバー部とからなることを特徴とするペット用衣服。【選択図】  図３
2007029070.tif 000002
【特許請求の範囲】
【請求項１】
前身頃と後身頃からなるペット用衣類本体と、当該前身頃股中央に連接し、かつ当該後身頃腰臀部に脱着可能であって、ペットの股部を覆うことができる様に、尻尾通し穴を有した股カバー部とからなる事を特徴とするペット用衣服。
【発明の詳細な説明】
【技術分野】
【０００１】本発明は前身頃股中央より、尻尾通し穴を有した留め布を、後身頃腰臀部に脱着可能にしたペット用衣服に関するものである。
【背景技術】
【０００２】従来、吊紐の付いたパンツや、サスペンダーを使用したパンツ、ワンピース型で股の開いていないもの、ワンピース型で股中央で留めるものはあった。首回りにバンドが付いているサスペンダーもあった。
【発明の開示】
【発明が解決しようとする課題】
【０００３】  その為に次のような問題点があった。
（イ）  猫のような軟体の動物は、吊紐の付いたパンツや、サスペンダーを使用したパンツをはかせても、体をねじったり、丸まったりすると、肩から外れてしまいパンツが脱げてしまった。
（ロ）  首回りにバンドが付いていても、吊紐部や、サスペンダー部が捩れてしまった。
（ハ）  ワンピース型のもので股部が開いていないものは、脱着が困難だった。
（ニ）  ワンピース型のもので股中央に留め具の付いたものは、動き回っている際留めずらかった。
（ホ）  （ハ）・（ニ）のものは、丈のゆとりが余り無かった。
（ヘ）  従来のワンピース型のもので、腰臀部に留め布を取り付けるものは無かった。
（ト）  腰臀部の留め布のデザインを変化できるものは無かった。
（チ）  オムツや生理用ナフキン、尿漏れパットの使用に不便であった。
【課題を解決しようとする為の手段】
【０００４】前見頃と後身頃からなるペット用衣本体と、当該前見頃股中央に連接し、かつ後身頃腰臀部に脱着可能であって、ペットの股部を覆うことが出来るよう、尻尾通し穴を有した股カバー部とからなることを特徴とするペット用衣服である。
【発明の効果】
【０００５】ワンピース型でも、脱着が容易であり、捩れたり、外れたりする事がない。丈のゆとりが持てる。動き回っていても留めやすい。留め布をいろいろなデザインに変えて楽しめる。また介護用として非常に便利である。
【発明を実施するための最良の形態】
【０００６】（イ）前身頃部（１）の前身頃股中央部（２）より、留め布部（３）を取り付ける。
（ロ）留め布部（３）に尻尾通し穴部（４）を開け、留め布部（３）に面ファスナー部（５）を取り付ける。
（ハ）後身頃部（６）の首部から腰部にかけて背開きファスナー部（７）を取り付ける。
（ニ）後身頃部（６）の腰臀部位置に、後身頃面ファスナー部（８）を取り付ける。
本発明は、以上のような構成で、これを使用する時は、背開きファスナー部（７）と前身頃股中央部（２）を開いて脱着すると容易である。
前身頃股中央部（２）より後身頃部（６）の腰臀部に、留め布部（３）にある尻尾通し穴部（４）より尻尾を通し、留め布部（３）の面ファスナー部（５）を後身頃面ファスナー部（８）に留めるので丈のゆとりが持てる。
前見頃面ファスナー部（５）と後見頃面ファスナー部（８）を留める事によりワンピース化する為、脱げたり、外れが無い。
前身頃股中央部（２）の開閉のみでオムツの取り外しが容易である。
また前見頃股中央部（２）から尻尾通し穴部（４）にかけて、用途に応じた大きさのパットを取り付けることができる。
【図面の簡単な説明】
【０００７】
【図１】    本発明の正面図
【図２】    本発明の背面図
【図３】    本発明の完成図
【図４】    本発明の装着図
【符号の説明】
【０００８】  １    前身頃部
２    前身頃股中央部
３    留め布部
４    尻尾通し穴部
５    前見頃面ファスナー部
６    後身頃部
７    背開きファスナー部
８    後身頃面ファスナー部
【図１】
2007029070.tif 000003
【図２】
2007029070.tif 000004
【図３】
2007029070.tif 000005
【図４】
2007029070.tif 000006
(57)【要約】【課題】釣り竿の保護と釣りを始める時、収納する時の、糸や仕掛けの取付け、取外しなどの煩わしさの省略を可能にする。【解決手段】板状の発泡ゴムと布地を組み合わせ、袋状に接合し内側に収納空間を形成する。短く縮めた釣り竿は、竿先に取付けた糸や仕掛けを取付けたまま収納し、露出させた発泡ゴムに巻付ける。又釣り竿収納ケースも同様に巻付ける。【選択図】図１
2007029069.tif 000002
【特許請求の範囲】
【請求項１】
板状の発泡ゴムと布地を組合わせ接合した本体の内部に、釣り竿を収納出来る空間を形成した釣り竿収納袋で、その周囲に露出させた発泡ゴムに、釣りの糸・仕掛けを巻き付け、針先も発泡ゴムに刺す事の出来る釣り竿収納袋。
【請求項２】
ポリカーボネイトなど硬質合成樹脂や木の板で、筒型に収納空間が形成された本体と、脱着自在に装着出来る蓋の周囲を露出させた発泡ゴムで覆い、釣り糸・仕掛けを巻付け、針先も発泡ゴムに刺す事が出来る釣り竿収納ケース。
【発明の詳細な説明】
【技術分野】
【０００１】本発明は、釣り竿収納袋・ケースの周囲に露出させた発泡ゴムに、釣り糸・仕掛けを巻付ける事の出来る釣り竿収納袋・ケースに関する。
【背景技術】
【０００２】従来の釣り竿収納は布地で袋にした物が一般的であり、また筒状で一端を開閉させるファスナーを有するケース状の物であった。
それらは釣り竿の保護や携帯性に問題が有り、煩わしい糸や仕掛けの取付け、取外しの作業を必要とする。
【特許文献１】  特開２００５−７３５３０  公報  竿体収納ケース  （Ｐ２００５−７３５３０Ａ）
【特許文献２】  特開２００５−１５２０６６  公報  釣り用ケース  （Ｐ２００５−１５２０６６Ａ）
【発明の開示】
【発明が解決しようとする課題】
【０００３】釣り竿の保護と釣り糸や仕掛けなどの取付け、取外しをする煩わしさの省略、携帯・安全性の確保。
【課題を解決するための手段】
【０００４】本発明は発泡ゴムの弾力性で釣り竿を保護する事が可能である。
又露出させた発泡ゴムに竿先に取り付けたままの釣り糸や仕掛けを巻き付ける事で、取付・、取外しの手間を省略できる。
【発明の効果】
【０００５】釣り竿収納袋・ケースは、周囲に露出させた発泡ゴムに、竿先に取付けたままの釣り糸や仕掛けを巻き付ける事が出来て、釣り糸や仕掛けがずれ難く、針先も発泡ゴムに刺す事が出来るので煩わしい手間を省略し、安全性も確保出来る。
【発明を実施するための最良の形態】
【０００６】本発明の一つの実施形態について、図面を参照の基に説明する。【０００７】図１の釣り竿収納袋は、板状の発泡ゴムの表面に一部を露出させる様に布地を貼り付けて置き、裏面にも蒸れを防止する為に布地を全面に貼り付けて、一端を開口とする収納空間を形成する様に接合する。
蓋の様になる部分は開閉自在に覆いかぶせ、折り曲げてマジックテープやホックなどで閉塞する。
釣り糸や仕掛けは、覆いかぶされたすき間より引出して縦長に露出させた発泡ゴムに巻付けて針先も発泡ゴムに刺す。針先を刺した部分は、発泡ゴムで作った付属の帯バンドで巻いて固定するので仕掛けがずれ難く安全性も確保される。【０００８】図２の釣り竿収納袋は、板状の発泡ゴムの表面と裏面に貼り付ける布地に伸縮性のあるジャージやニットなどを使用して、表面の一部は発泡ゴムを露出させる様に接合し、収納空間を形成する。
開口は袋の側面・上部に縦長に設ける。
発泡ゴムの弾力と布地の伸縮によって釣り竿は収まる。
釣り糸や仕掛けは、開口部より引出してそのまま露出させた発泡ゴムに巻付け、針先も発泡ゴムに刺してその部分を発泡ゴムで作った付属の帯バンドで巻いて固定する。【００９】図３の釣り竿収納ケースは、ポリカーボネイトなどの硬質合成樹脂や木の板などで一端を印籠継型式の開口となる筒状の収納空間を形成し、脱着自在な蓋を装着する。
本体の周囲に板状の発泡ゴムを露出させて、釣り糸や仕掛けを巻付ける事が出来る様にした釣り竿収納ケースである。
露出させる発泡ゴムを貼る部分は凹みを作り、埋め込む様にする事で開口部の溝より引出し、発泡ゴムに巻付けた釣り糸や仕掛けがずれ難く安定した収納となる。針先も発泡ゴムに刺し、その部分に発泡ゴムで作った付属の帯バンドで巻いて固定する。【０１０】図４の釣り竿収納ケースは、ポリカーボネイトなどの硬質合成樹脂や木の板などで一端を開口となる筒状の収納空間を形成し、脱着自在な栓を装着する。
本体の周囲に板状の発泡ゴムを露出させて、栓に設けた溝より引出した釣り糸や仕掛けを発泡ゴムに巻付ける事が出来る釣り竿収納ケースで、へら竿などに多い２本で並列に収納するのに適している。【００１１】図５は発泡ゴムの弾力と伸縮とで針などを覆う事の出来る付属の帯状バンド。
【図面の簡単な説明】
【００１２】
【図１】第一実施例で釣り竿収納袋の外観図である。
【図２】第二実施例で側面上部より釣り竿を収納させる収納袋の外観図である。
【図３】第三実施例で筒状のケースに蓋を装着する釣り竿収納ケースの外観図である。
【図４】第四実施例で筒状のケースに栓を装着する釣り竿収納ケースの外観図である。
【図５】第五実施例で最後に釣針などを覆い固定する発泡ゴムで作った帯状のバンドである。
【符号の説明】
【００１３】１・４              釣り竿収納袋の布地で覆われた本体
２・５・１０・１４  発泡ゴムを周囲に露出させた部分
３                  開口部を覆うように折り曲げ閉塞する部分で、裏にマジックテープなどが接合してある
６                  釣り竿を収納する開口部
７・１２            ケース本体
８・１３            板状の発泡ゴムを埋め込む為の凹み
９                  蓋
１１・１６          糸を引き出す溝
１５                栓
１７                マジックテープを接合した帯状のバンド
【図１】
2007029069.tif 000003
【図２】
2007029069.tif 000004
【図３】
2007029069.tif 000005
【図４】
2007029069.tif 000006
【図５】
2007029069.tif 000007
(57)【要約】【課題】  冷凍蕎麦を手軽に美味しく食べるための冷凍蕎麦の製造方法の提供【解決手段】  水１２０：片栗粉１の割合の煮立たせた後に冷却したものを、茹でて冷水にくぐらせた蕎麦に絡ませ、すばやく網の上に小分けして広げ、急速冷凍させる。【特許請求の範囲】
【請求項１】
１２０：１の割合の水溶き片栗粉を煮立たせた後に冷却したものを、茹でて冷水にくぐらせた蕎麦に絡ませ、網の上に乗せ急速冷凍させて作る冷凍蕎麦の製造方法。
【発明の詳細な説明】
【技術分野】
【０００１】本発明は手軽に蕎麦を食べるための冷凍蕎麦製造技術
【背景技術】
【０００２】従来の冷凍蕎麦を水で解凍しようとすると水分を吸収し、伸びて美味しく食べられない。
【発明の開示】
【発明が解決しようとする課題】
【０００３】冷凍蕎麦を水で解凍して食べようとした際ふやけてしまい、美味しい蕎麦が食べられないこと。
【課題を解決するための手段】
【０００４】１２０：１の割合の水溶き片栗粉を煮立たせた後に冷却したものを、茹でて冷水にくぐらせた蕎麦に絡ませ、網の上に乗せ、急速冷凍させる。
【発明の効果】
【０００５】水で解凍する際に蕎麦に絡まっている水溶き片栗粉が、蕎麦が水を吸収するのを防ぎ、それに伴い蕎麦が伸びるのを防ぐため美味しく食べられる。
【発明を実施するための最良の形態】
【実施例】
【０００６】▲１▼  水１２０：片栗粉１の割合の水溶き片栗粉をかき混ぜながら煮立たせ、冷ましておく。常温まで冷めたら冷蔵庫でさらに冷やしておく。
▲２▼  生蕎麦を茹で、すばやく水で洗い、氷水につけて蕎麦をしめる。水切りした後▲１▼を蕎麦全体に薄く絡ませる。
▲３▼  すばやく網の上に小分けにして広げ、急速冷凍させる。
(57)【要約】【課題】  三角状おにぎりを食するとき、おにぎりのどの部分から食しても、中身の具を味わいながら食することが出来る、サンドイッチ状態の三角おにぎりを提供する。【解決手段】  三角状おにぎりのご飯とご飯の間に、板状になった中身に具をはさみ、三角状おにぎりをサンドイッチ状態にして、初から食べ終わるまで、おにぎりのどの部分から食しても、中身の具の味を味わえることを特徴とするサンドイッチ状態の三角おにぎり。【選択図】  図１
2007029073.tif 000002
【特許請求の範囲】
【請求項１】
三角状おむすびのご飯の部分を三角形の状態で二つに分け、その間に板状にしたおにぎりの中身の具を挟み、おにぎりをサンドイッチ状にして、三角状おむすびのどの部分から食しても中身を具の味を味わえることを特徴とするサンドイッチ状態の三角おにぎり。
【発明の詳細な説明】
【技術分野】
【０００１】本発明は、三角状おにぎりの、どの部分から食しても、中身の具の味を味わえる三角状おにぎりに関するものである。
【背景技術】
【０００２】  従来のおにぎりは、どのような形状であれ、おかずとなる中身の具は、おむすびの中心に詰め込まれているものが通常である。中にはおにぎりの外側に特定の具を巻きつけたおにぎりは論外であるが、しかし、通常のおにぎりはどの部分から食しても最初はご飯だけを食べることとなり、中心部分まで食べないと中身の具の味を味わえなかった。
三角状のおにぎりにしても同様で、どの部分の端から食しても同様であった。
【発明の開示】
【発明が解決しようとする課題】
【０００３】  そのために、次のような問題点があった。
おにぎりを食するときに、中身の具を味わえるのは、最初はご飯だけしか味わえず、中心まで食べないと、おかずとなる中身の具を味わうことが出来なかった。
本発明は、三角状おにぎりに関して、以上の問題を解決しようとするものである。
【課題を解決するための手段】
【０００４】  三角状おむすびのご飯の部分を三角形に二つに分け、その間に板状にしたおにぎりの中身の具を挟み、おにぎりをサンドイッチ状にする。そして、三角おむすびのどの部分から食しても中身を具の味を味わうことができる。以上を特徴とするサンドイッチ状態の三角おにぎりである。
【発明の効果】
【０００５】  本発明は、三角状おにぎりをサンドイッチ状態にするために、三角状おにぎりの、どの部分から食しても中身の具の味を味わうことが出来る。したがって、三角状おにぎりを食するにあたって、最初から食べ終わるまで、ご飯と中身の具を味わいながら食することが出来る。
【発明を実施するための最良の形態】
【０００６】以下、本発明の実施の形態を説明する。
（イ）三角状おにぎりを、三角形状態のご飯を二分したご飯イ（１）とご飯ロ（２）の間に、おかずとなる板状にしたおにぎりの中身の具（３）を挟む。
（ロ）中身の具（３）をご飯イ（１）とご飯ロ（２）の間に挟み、おにぎりをサンドイッチ状態にする。
本発明は、以上の構成よりなっている。
本発明を食するときは、三角状おにぎりの中身の具（３）が、二分したおにぎりのご飯イ（１）とご飯ロ（２）の間に挟まれサンドイッチ状態になっているため、本発明の三角状態のおにぎりは、最初から食べ終わるまで、どの端の部分から食しても中身の具の味を味わえ、食することができる。
【図面の簡単な説明】
【０００７】
【図１】本発明の斜面図
【図２】本発明の正面図
【図３】本発明の断面図
【符号の説明】
【０００８】  １ご飯イ
２ご飯ロ
３中身の具
【図１】
2007029073.tif 000003
【図２】
2007029073.tif 000004
【図３】
2007029073.tif 000005
(57)【要約】【課題】本発明は高価の装備や器機がなくても誰もが容易にメシマコブの栽培ができる方法に関するものである。楢柏科を培養基で利用する方法により、多様な樹種を選択してキノコを３回以上収穫して、高所得を得られる方法に関するものである。【解決手段】本発明は楢柏科（チェストナット、ぶな、くぬぎ、ハハソ、楢、栢など）の木を適当な長さに切断し、耐熱ビニール袋に入れて袋の入口を折って縛るか、または棉栓などの密閉手段を利用して殺菌した後、室温で無菌接種をした後、２５−３０℃で２ヶ月以上菌を培養する。培養が完了した後、檀木を温度２７℃、湿度９０％の条件に合わせてキノコを勃爾させて３回以上収穫する方法に関するものである。【特許請求の範囲】
【請求項１】
楢柏科の檀木を利用したメシマコブの人工栽培法。
【請求項２】
前述の１項目で檀木を耐熱性ビニール袋に入れて殺菌するメシマコブの人工栽培法。
【請求項３】
前述の１項目で檀木表面に鋸屑などの人工培養基をかけて耐熱ビニールに入れて殺菌する方法。
【請求項４】
前述の１項目で檀木表面に紙、ビニールをくるんで耐熱ビニールに入れて殺菌する方法。
【発明の詳細な説明】
【技術分野】
【０００１】本発明は楢柏科（チェストナット、ぶな、くぬぎ、ハハソ、楢、栢など）を培養基として利用してメシマコブを人工栽培する方法に関するものである。メシマコブはタバコウロコタケ科に属するキノコで、キコブタケ（Ｐｈｅｌｌｉｎｕｓ）に属する白色腐朽菌である。このキノコは主に中国を含めて北東アジアなど分布し、主に海抜の高い闊葉樹地帯の陽地で自生する。
【背景技術】
【０００２】メシマコブの人工栽培は、一般的に闊葉樹の鋸屑を主培養基として利用して容器栽培しているが、これは高圧殺菌釜、無菌室、接種機などの多額の初期固定投資金が必要である。さらに、この方法は一度培養して１回収獲すれば、培養基を入れ替らなければならない。最近にはクワを培養基としてメシマコブを栽培する方法（特開平１１−４３２４９）も開発されている。
【発明の開示】
【発明が解決しようとする課題】
【０００３】本発明は従来の闊葉樹の鋸屑やクワを培養基として利用する方法から脱し、チェストナットやぶなを培養基として利用する方法で、従来の方法より多様な樹種を選択し、低価の設備投資で３回以上キノコを収穫し、高所得を得られる方法である。
【課題の解決手段】
【０００４】本発明は楢柏科の木を適当な長さに切断し、耐熱ビニール袋に入れ、袋の入口を折って結んだり、棉栓などの密閉手段を利用して殺菌した後、室温状態で無菌接種をした後、２５−３０℃で２ヶ月間菌を培養する。培養が完了した後、檀木を温度２７℃・湿度９０％の条件に合わせてキノコを勃爾させ、３回以上収穫する方法に関するものである。
【実施例】
【０００５】（１）直径２０ｃｍの櫟を長さ１５ｃｍに切断し、ＰＰフィルム袋に入れて入口を捻り折った後、輪ゴムで縛って１２１℃で９０分間殺菌した。檀木の温度が２５℃になった時、無菌接種して３０℃で７０日間培養した後、勃爾室に移動し、３ヶ月後に１２０ｇのメシマコブを収穫した。【０００６】（２）直径１５ｃｍのチェストナットを長さ１８ｃｍに切断し、檀木下端部にビニール袋の破損を防ぐために薄いビニールを当て、フィルターが取付けられているハイデンビニール袋に入れた。袋の入口を高周波ビニール接着機を利用して密封した後、６５℃で１０時間殺菌して、檀木の温度が２８℃になった時、無菌接種して２８℃で６０日間培養した後、勃爾室に移動して３ヶ月後１０５ｇのメシマコブを収穫した。【０００７】（３）直径１５ｃｍのぶなを長さ１５ｃｍに切断し、檀木上端部に楢柏鋸屑と米糠の混合物をかけてＰＰフィルムの袋に入れた後、入口を棉栓に防ぎ、８０℃温度で６時間殺菌した。壇木の温度が３０℃になった時、無菌接種して３０℃で７０日間培養した後、勃爾室に移動して３ヶ月後、１１０ｇのメシマコブを収穫した。
【発明の效果】
【０００８】本発明は最近機能性食品としてその效能が立証されているメシマコブを、誰もが容易に栽培することができる培養基種類と方法を提供することにより、農家所得を極大化することができる技術を提供する方法に関するものである。
(57)【要約】      （修正有）【課題】椅子などに長時間座っていると肛門の部分が体重で圧迫されて炎症が起きる。それを解決するためにドーナツ型の型態をしたクッションを提供する。【解決手段】ドーナツ型のクッションの一部分にあきを設けてその箇所に肛門が位置するように座ることで体圧が架からず、従って肛門えの負担が無くなる。また、全面にカバーをすることであきの大きさが固定されて広がることはない。【選択図】図１
2007029698.tif 000002
【特許請求の範囲】
【請求項１】
ソフトウレタンを用いたドーナツ型の形状をしたクッションで肛門の当る箇所にあきを設けて肛門部分が直接当らないようにしたお尻の床ずれ防止クッションである。
【請求項２】
肛門が当る空洞の部分の両先端にはやや固めの素材を内蔵した。
【発明の詳細な説明】
【技術分野】
【０００１】本発明は椅子の上に載せて用いるドーナツ型のクッションに関する。
【背景技術】
【０００２】従来はドーナツ型の形状をなし低反発のウレタンを用いたもの、また、クッションの表面に小さな突起をつけて体圧を分散させるものなどがある。
【発明の開示】
【発明が解決しようとする課題】
【０００３】椅子に座ることが生活習慣になっている場合長時間座っていると肛門部分に床ずれのような炎症が起き苦痛である。従来のものでは肛門部えの体圧はその時間に比例して加わることは否めない。本発明はこの課題を解決するためになされたものである。
【課題を解決するための手段】
【０００４】ドーナツ状の形態をしたクッションで肛門が当る部分を空洞にすることによって肛門に直接体圧が架からないようにした。
【発明の効果】
【０００５】椅子に長時間座る職業の人や痔症のある人また、日常の生活において座ることを余儀なくされた人の肛門えの負担を軽減することができる。
【実施例】
【０００６】図１は実施例のお尻の床ずれ防止クッションのカバー装着前の外観の説明図、図２は四角棒状のウレタンの内部講造の説明である。【０００７】お尻の床ずれ防止クッションは四角棒状のウレタン図２の右左先端を内径１ｃｍほどの間隔をとってリング状にし、クッション全面にカバーをすることでリング状の形態となる。その内径１ｃｍ位のあきを設けた部分が肛門の位置する個所になり全面カバーで固定されているために空胴部にずれは生じない。【０００８】図２に示すように肛門が位置する空胴部分の両先端４には体圧で沈むのを防ぐための巾５ｃｍ厚さ３ｃｍの固めの素材を内蔵して空胴の部分をガードする。【０００９】椅子の上に空胴部分が背中側にくるように置き空胴部分に肛門が位置するように着座する。【００１０】クッションの肛門に当る部分はカバーの色とは配色を変えてそれと判るようにする。
なお、カバーのつけかたの強弱で肛門部分のあきの巾は調整できる。
【図面の簡単な説明】
【００１１】
【図１】本発明の外観の説明図である。
【図２】本発明の断面図である。
【符号の説明】
【００１２】１、クッション本体
２、ソフトウレタン
３、空胴部
４、硬質ウレタン
【図１】
2007029698.tif 000003
【図２】
2007029698.tif 000004
(57)【要約】      （修正有）【課題】醤油やソースなどの調味料を入れるための差しであり、２つの調味料を１つの差しに入れる事の出来る容器を提供する。【解決手段】醤油、ソースなどの調味料を入れる容器１、２に２種類の調味料を入れるように容器１、２を仕切る仕切り３を設け、１つの容器１、２で２つの調味料を入れる事の出来る差しとする。なお調味料の出る出口４も２つ設け、調味料をかけたい方に傾け通常使用される空気穴がないため軽く指で押し出す様に使う。【選択図】図１
2007029694.tif 000002
【特許請求の範囲】
【請求項１】
調味料を入れる差しが２つに分かれ本発明１つで２つの調味料が入れる事の出来るもの
【請求項２】
１つで２つの調味料を入れることの出来る差し
【発明の詳細な説明】
【技術分野】
【０００１】本発明は醤油やソースなど調味料を入れる差しに関するものである
【背景技術】
【０００２】従来調味料などを分けて入れる際差しなどを使うことは知られている
【発明の開示】
【発明が解決しようとする課題】
【０００３】醤油、ソースなどを差しに入れ使用する際従来１種類の調味料にたいし１つの差しであったが、本発明は２つの調味料を１つの差しに分け入れる事の出来るものである
【課題を解決するための手段】
【０００４】調味料を入れる差しに仕切りをつけ２種類の調味料を入れるように設ける
なお出口も２つ設ける
本発明は以上の構成よりなる１つで２つの調味料を入れる事の出来る差しである
【発明の効果】
【０００５】本発明を使用すると２つの調味料が１つの差しに入っているため食卓も片付き又持ち運びの手間が省けたり又資源の節約にも期待出来る
【発明を実施するための最良の形態】
【０００６】以下、本発明の実施の形態を説明する
（イ）調味料を入れる容器▲１▼、▲２▼
（ロ）容器を仕切る仕切り▲３▼
（ハ）調味料の出る出口▲４▼
（ニ）調味料入れの蓋▲５▼
本発明は以上の構成よりなる
本発明を使用する場合は、本発明を調味料をかけたい方に傾け▲１▼又は▲２▼部分を指で軽く押す。
（本発明には通常使用されている空気穴がないため軽く指で押し出す様に使う）
【図面の簡単な説明】
【０００７】
【図１】本発明の斜視図
【符号の説明】
【０００８】▲１▼容器▲２▼容器▲３▼仕切り▲４▼出口▲５▼蓋
【図１】
2007029694.tif 000003
(57)【要約】【目的】スポンジを使用する事により、機械内部及び容器にも保管でき、蒸発効果にも優れ、充填可能となる。エアーフィルターとフィルターの間に挟み込み風により消臭剤の散布ができる。【構成】スポンジに、消臭液を浸透させる。【特許請求の範囲】
【請求項１】
スポンジに消臭剤を浸透させ大気中に消臭剤を蒸発させる為の物。
【発明の詳細な説明】
【発明の詳細な説明】
この考案は、スポンジに消臭剤を浸透させる物である。
従来、布製の物を使用した物はあった。
これは次のような欠点があった。
（イ）たくさん浸透すれば溶液が垂れる
（ロ）エアコン等吹き出し口より消臭剤散布できない。
（ハ）浸透性が遅い。
スポンジを使用する事により、吸収性の速さ、浸透した溶液の維持確保ができる
機械内部及び容器に保管でき充填可能になる。
蒸発効果にも、優れている。
フィルターとフィルターの間に挟み込み風により消臭剤の散布ができる。
【図面の簡単な説明】
【図１】  本考案の斜視図である。
【符号の説明】
１フィルター
２スポンジ
【図１】
2007029691.tif 000002
(57)【要約】【課題】  加齢とともに下半身の衰えで悩んでいる人は多く、爪先立ち運動は括約筋を鍛えて尿漏れを防ぐ事等に有効であり、その爪先立ち運動を簡単に継続できる履物を提供するものである。【解決手段】  基部がほぼ平らなサンダル又はスリッパからなる履物本体とその後ろ部分上面に着脱自在に取り付けられた使用者の踵を支えるヒール部材とでなり、ヒール部材は高さの異なる複数種に備え、いずれのヒール部材もその底面に設けた凸部を履物本体の後部上面に設けた凹部に嵌合できる履物。【選択図】  図１
2007029700.tif 000002
【特許請求の範囲】
【請求項１】
基部がほぼ平らなサンダル又はスリッパからなる履物本体と、その履物本体の後ろ部分上面に着脱自在に取り付けられた使用者の踵を支えるヒール部材とからなり、ヒール部材は高さのみが異なる複数種に備え、いずれのヒール部材もその底面に設けた凸部を履物本体の後部上面に設けた凹部に嵌合できる履物。
【請求項２】
ヒール部材はほぼ台形状をしていて、その周囲は崖状になっていて、使用者がヒール上面に踵を載せた際、土踏まず部分に空隙を形成できるのを特徴とする請求項１記載の履物。
【発明の詳細な説明】
【技術分野】
【０００１】
本発明は身体の健康管理、調節に資する履物、特にその脱着自在なヒールに関するものである。
【背景技術】
【０００２】
従来のハイヒール様式はヒールを履物本体の下に置き、踵から足先に向けての履物先端部を下向きに傾斜させているが、本発明は履物本体の上にヒールを装着する。以下、本発明のヒールと称する部分はすべて履物本体の上に載せるものを表明する。
【０００３】
括約筋の衰えで尿漏れに悩む女性が多い。体力を増強させる運動としてストレッチや爪先立ち運動があるが、根気が必要で長続きは難しい。踵を高くした健康サンダルも考案されているが、商品化にまでは至っていないと思われる。踵を切り取ったサンダルが市場に出回ったが、これを履くには踵を置くところがないため足が不安定になり疲れやすく、痛いという欠点がある。
【特許文献１】特開平３−１３１２０１号公報
【発明の開示】
【発明が解決しようとする課題】
【０００４】
本発明は複数の人に対応できるように前後移動や高低の違う複数ヒールの脱着を可能にした。又、踵を置くところを確保したヒールの高い履物を履くことによって、安定した爪先立ちを継続しながら括約筋や脹ら脛筋肉・土踏まず等の収縮運動を促進し、血圧の安定や脚線美を図るものである。
【課題を解決するための手段】
【０００５】
本発明は基部がほぼ平らなサンダル又はスリッパからなる履物本体とその履物本体の後ろ部分上面に着脱自在に取り付けられた使用者の踵を支えるヒール部材とからなり、ヒール部材は高さの異なる複数種に備え、いずれのヒール部材もその底面に設けた凸部を履物本体の後部上面に設けた凹部に嵌合できる履物である。
【０００６】
又、ヒールはほぼ台形状の部材からなり、基部が使用者の爪先にかけて傾斜しているのではなく、崖状になっていて、使用者が履いたときに土踏まず部分に空隙ができるのを特徴とする。
【発明の効果】
【０００７】
雛形を作り、請求項１の履物を履いた状態で歩行すると、括約筋の働きによるものとみられる催尿の際の調整感覚や脹ら脛筋肉のキュッとした収縮運動が実際に体感できた。さらに請求項２の状態で見られるように土踏まずの空隙部分９も履物にいぼいぼを付けるような刺激法とは違った新しい試みで痛くなく、健康効果が期待できる。又、爪先立ちをすると、身体が前屈みになりやすくバランスをとるために姿勢を正そうという意識が働く、それが括約筋の鍛錬、腹筋引き締めやヒップ引き締め効果を促進し、足をほっそりさせる作用があることもわかった。若い人が愛用しているハイヒールも美的健康作用があるのだと実感している。
【発明を実施するための最良の形態】
【０００８】
図１は本発明実施例に係わる嵌合完成例を示し、図２はヒール取り付け前の履物本体であり、上面後部にはヒール脱着用凹部６も備えている。図３Ａ，Ｂ，Ｃは履物本体に取り付ける前のヒールで、それぞれが７，５，３センチメートルの高さをもつ。図４は図２，図３それぞれの凹凸部を嵌合して完成した履物を履いたところである。
【０００９】
ヒール４は踵を載せるためのほぼ台形状の物質であり、脱着や前後移動３が可能である。又、踵載せ口部７の下方を崖状にして使用者が履いたときに土踏まず部分に空隙９ができるようにする。その目的は、足の爪先部を急速に履物の前方前端へ落とし込み、爪先立ち状態にするためである。
【００１０】
踵を載せる部分には履き心地を良くするために少し窪み８をとる。又、踵のあたる部分だけスポンジ状の柔らかい材質にするのも良い。
【００１１】
ヒールの底面１３には高さの異なる複数種の凹凸を共通にしたボッチ５を数個をつける。
【００１２】
履物本体の上にヒールの取り付け穴６をボッチの数より多めに作る。ヒール底のボッチ５を履物の取り付け穴のふさわしい位置に圧入して固定する。
【００１３】
ヒールの高さサイズはおおよそ７，５，３Ｃｍの３種類、図３Ａ，Ｂ，Ｃで、足の状態に合わせて交換して使い分ける。
【００１４】
ヒールを装着して履いたときに足の甲が太くて爪先支え用ベルトに足が入りにくい場合は、爪先支え用ベルト２の上部を少し細めにすればよい。
【００１５】
ヒールは爪先立ちを容易にする。本ヒールを利用して、更に積極的な踵の上下運動を加えることが望ましい。複数ヒールを取り替えて履き、筋肉に新しい刺激を与えるのも良い。
【図面の簡単な説明】
【００１６】
【図１】本発明のヒールを取り付けた履物の斜視図
【図２】ヒールを取り付ける前の履物本体の斜視図
【図３−Ａ】高さ７Ｃｍのヒール部材を示す斜視図
【図３−Ｂ】高さ５Ｃｍのヒール部材を示す斜視図
【図３−Ｃ】高さ３Ｃｍのヒール部材を示す斜視図
【図３−Ｄ】ヒール部材の上面図
【図３−Ｅ】同ヒール部材の底面図
【図４】ヒールを取り付けて履いた使用例を示す図
【符号の説明】
【００１７】
１  履物本体
２  爪先支え用ベルト
３  ヒールの脱着・前後の調整部
４  ヒール踵載せ全部
５  固定用ボッチ    数個
６  履物のヒール取り付け穴  ヒールのボッチが移動できるように少し多めに作る
７  踵載せ口部              下面の崖状切り込みは爪先状態を作り出すため及び土踏まずを刺激するための空隙を作る要となる。
８  踵用窪み                踵に合わせてわずかに湾曲させる
９  土踏まずの空隙部        土踏まずに緊張感を生じさせるため
１０  ヒール横幅長さ          履物の横幅と同じ
１１  ヒールの高さ            数種 おおよそ７，５，３Ｃｍの３種
１２  ヒール縦幅長さ          約５〜８Ｃｍ 踵が入ればよい
１３  ヒールの上面 
１４  ヒールの底面
【図１】
2007029700.tif 000003
【図２】
2007029700.tif 000004
【図３−Ａ】
2007029700.tif 000005
【図３−Ｂ】
2007029700.tif 000006
【図３−Ｃ】
2007029700.tif 000007
【図３−Ｄ】
2007029700.tif 000008
【図３−Ｅ】
2007029700.tif 000009
【図４】
2007029700.tif 000010